(57)【特許請求の範囲】
【請求項１】
分電盤に接続される複数の分岐回路に関する計測値を、前記複数の分岐回路に一対一に対応し記憶部に記憶された複数の回路名称に対応付けて管理する管理装置に対する、前記複数の回路名称の設定を支援する設定支援装置であって、
前記複数の回路名称を表す名称データを取得する取得部と、
前記名称データを出力する出力部とを備え、
前記出力部は、
前記記憶部への前記複数の回路名称の書き込みを行う設定装置と、
前記分電盤に付されるラベルの作成用のラベル作成装置との両方に対して、
前記名称データを出力するように構成されている
ことを特徴とする設定支援装置。
【請求項２】
前記設定装置との間で通信を行う通信部をさらに備え、
前記出力部は、前記設定装置に対し、前記通信部を介して通信により前記名称データを出力するように構成されている
ことを特徴とする請求項１に記載の設定支援装置。
【請求項３】
記録媒体へのデータの書き込みを行う書込部をさらに備え、
前記出力部は、前記設定装置に対し、前記書込部により前記記録媒体を介して前記名称データを出力するように構成されている
ことを特徴とする請求項１又は２に記載の設定支援装置。
【請求項４】
前記取得部は、インターネットを介して前記名称データを取得するように構成されている
ことを特徴とする請求項１〜３のいずれか１項に記載の設定支援装置。
【請求項５】
インターネットを介して、記憶装置に前記名称データをアップロードするアップロード部をさらに備える
ことを特徴とする請求項１〜４のいずれか１項に記載の設定支援装置。
【請求項６】
前記複数の分岐回路に関する情報であって前記複数の回路名称以外の情報からなる付加情報を表す付加データを取得し、前記名称データに前記付加データを付加する付加部をさらに備える
ことを特徴とする請求項１〜５のいずれか１項に記載の設定支援装置。
【請求項７】
分電盤に接続される複数の分岐回路に関する計測値を、前記複数の分岐回路に一対一に対応し記憶部に記憶された複数の回路名称に対応付けて管理する管理装置と、
前記記憶部への前記複数の回路名称の書き込みを行う設定装置と、
前記複数の回路名称を表す名称データを取得する取得部と、
前記名称データを出力する出力部とを備え、
前記出力部は、
前記設定装置と、
前記分電盤に付されるラベルの作成用のラベル作成装置との両方に対して、
前記名称データを出力するように構成されている
ことを特徴とする設定支援システム。
【請求項８】
前記設定装置は、前記管理装置の動作開始をトリガにして、前記出力部から前記名称データを取得し、前記記憶部への前記複数の回路名称の書き込みを行うように構成されている
ことを特徴とする請求項７に記載の設定支援システム。
【請求項９】
前記複数の分岐回路に関する情報であって前記複数の回路名称以外の情報からなる付加情報を表す付加データを取得し、前記名称データに前記付加データを付加する付加部をさらに備え、
前記管理装置は、前記付加データに基づいて、前記計測値の計測に用いるパラメータの設定を行うように構成されている
ことを特徴とする請求項７又は８に記載の設定支援システム。
【請求項１０】
分電盤に接続される複数の分岐回路に関する計測値を、前記複数の分岐回路に一対一に対応し記憶部に記憶された複数の回路名称に対応付けて管理する管理装置に対する、前記複数の回路名称の設定を支援するコンピュータを、
前記複数の回路名称を表す名称データを取得する取得部、
及び前記記憶部への前記複数の回路名称の書き込みを行う設定装置と、前記分電盤に付されるラベルの作成用のラベル作成装置との両方に対して、前記名称データを出力する出力部
として機能させるためのプログラム。
【発明の詳細な説明】
【技術分野】
【０００１】
本発明は、設定支援装置、設定支援システム、及びプログラムに関する。
【背景技術】
【０００２】
従来、機器の制御によって需要家の電力を管理する管理装置（制御装置）が提案されている（例えば特許文献１参照）。特許文献１に記載の管理装置では、複数の分岐ユニットを有する分電盤から、複数の分岐ユニットの情報である分岐情報を受信し、この分岐情報に応じて、分電盤の状態を把握する。
【先行技術文献】
【特許文献】
【０００３】
【特許文献１】特開２０１５−２３６３６号公報
【発明の概要】
【発明が解決しようとする課題】
【０００４】
特許文献１に記載の管理装置では、分電盤から取得可能な分岐情報のみが設定され、例えば分岐ユニットを識別するための情報としては、分岐ユニットのＩＤ（識別情報）が設定される。しかし、分岐ユニットのＩＤからでは、ユーザは、分電盤に接続された複数の分岐回路のうち、例えば冷蔵庫、照明、エアコン、テレビなどのいずれの負荷が含まれた分岐回路かを特定するのが難しいという問題がある。
【０００５】
本発明は上記事由に鑑みてなされており、管理装置で管理される複数の分岐回路をユーザが特定しやすくなる設定支援装置、設定支援システム、及びプログラムを提供することを目的とする。
【課題を解決するための手段】
【０００６】
本発明の設定支援装置は、分電盤に接続される複数の分岐回路に関する計測値を、前記複数の分岐回路に一対一に対応し記憶部に記憶された複数の回路名称に対応付けて管理する管理装置に対する、前記複数の回路名称の設定を支援する設定支援装置であって、前記複数の回路名称を表す名称データを取得する取得部と、前記名称データを出力する出力部とを備え、前記出力部は、前記記憶部への前記複数の回路名称の書き込みを行う設定装置と、前記分電盤に付されるラベルの作成用のラベル作成装置との両方に対して、前記名称データを出力するように構成されていることを特徴とする。
【０００７】
本発明の設定支援システムは、分電盤に接続される複数の分岐回路に関する計測値を、前記複数の分岐回路に一対一に対応し記憶部に記憶された複数の回路名称に対応付けて管理する管理装置と、前記記憶部への前記複数の回路名称の書き込みを行う設定装置と、前記複数の回路名称を表す名称データを取得する取得部と、前記名称データを出力する出力部とを備え、前記出力部は、前記設定装置と、前記分電盤に付されるラベルの作成用のラベル作成装置との両方に対して、前記名称データを出力するように構成されていることを特徴とする。
【０００８】
本発明のプログラムは、分電盤に接続される複数の分岐回路に関する計測値を、前記複数の分岐回路に一対一に対応し記憶部に記憶された複数の回路名称に対応付けて管理する管理装置に対する、前記複数の回路名称の設定を支援するコンピュータを、前記複数の回路名称を表す名称データを取得する取得部、及び前記記憶部への前記複数の回路名称の書き込みを行う設定装置と、前記分電盤に付されるラベルの作成用のラベル作成装置との両方に対して、前記名称データを出力する出力部として機能させる。
【発明の効果】
【０００９】
本発明の設定支援装置、設定支援システム、及びプログラムは、管理装置で管理される複数の分岐回路をユーザが特定しやすくなる、という利点がある。
【図面の簡単な説明】
【００１０】
【図１】実施形態１に係る設定支援装置を用いたシステムの全体構成を示すブロック図である。
【図２】実施形態１に係る設定支援装置の入力画面を示す概略図である。
【図３】実施形態１に係る設定支援装置を用いて作成されたラベルを示す概略図である。
【図４】実施形態２に係る設定支援装置を用いたシステムの全体構成を示すブロック図である。
【図５】実施形態３に係る設定支援装置を用いたシステムの全体構成を示すブロック図である。
【発明を実施するための形態】
【００１１】
以下の実施形態は、設定支援装置、設定支援システム、及びプログラムに関し、とくに複数の分岐回路に一対一に対応する複数の回路名称の設定を支援する設定支援装置、設定支援システム、及びプログラムに関する。
【００１２】
（実施形態１）
（１．１）概要
本実施形態に係る設定支援装置１は、図１に示すように、管理装置４に対する、複数の回路名称の設定を支援する。管理装置４は、分電盤２に接続される複数の分岐回路３に関する計測値を、複数の分岐回路３に一対一に対応し記憶部４１に記憶された複数の回路名称に対応付けて管理する。
【００１３】
設定支援装置１は、複数の回路名称を表す名称データを取得する取得部１１と、名称データを出力する出力部１２とを備えている。出力部１２は、記憶部４１への複数の回路名称の書き込みを行う設定装置５と、分電盤２に付されるラベル６の作成用のラベル作成装置７との両方に対して、名称データを出力するように構成されている。
【００１４】
ここでいう「設定」は、記憶部４１への書き込みを意味している。ここでいう「回路名称」は、分電盤２に接続された複数の分岐回路３の各々に対応付けて設定される情報であって、分岐回路３の各々を特定するための情報である。回路名称は、例えば「冷蔵庫」、「照明」、「エアコン」、及び「テレビ」など、分岐回路３に含まれる負荷の種類を特定する情報、又は、「玄関」、「リビング」、「寝室」、「浴室」、及び「階段」など、分岐回路３に含まれる負荷の場所を特定する情報である。さらに、回路名称は、例えば「玄関照明」、「寝室エアコン」、及び「階段照明」など、負荷の種類を特定する情報と場所を特定する情報との組み合わせであってもよい。なお、複数の回路名称は複数の分岐回路３に対して一対一に対応していればよく、例えば「リビング」と「寝室」とのそれぞれの負荷について、「エアコン」のように同語の回路名称が設定されていてもよい。
【００１５】
本実施形態の設定支援装置１によれば、出力部１２は、複数の回路名称を表す名称データを、記憶部４１への複数の回路名称の書き込みを行う設定装置５へ出力する。これにより、複数の分岐回路３の各々を特定するための情報（回路名称）の設定が支援されるので、管理装置４では単なるＩＤ（識別情報）でなく回路名称に対応付けて、複数の分岐回路３に関する計測値が管理されることになる。そのため、管理装置４で管理される複数の分岐回路３をユーザが特定しやすくなる。しかも、設定支援装置１では、出力部１２は、設定装置５と、分電盤２に付されるラベル６の作成用のラベル作成装置７との両方に対して、名称データを出力する。つまり、出力部１２が出力する名称データは、複数の回路名称の記憶部４１への書き込みと、ラベル６の作成とに兼用されることになる。言い換えれば、分電盤２の施工に含まれるラベル６の作成時に用いられる名称データを、記憶部４１への複数の回路名称の書き込み用に流用できるので、管理装置４で用いられる回路名称の設定にかかる手間が軽減される。その結果、管理装置４で用いられる回路名称の誤設定や、設定忘れが生じにくくなり、管理装置４で管理される複数の分岐回路３をユーザが特定しやすくなる、という利点がある。
【００１６】
ところで、管理装置４においては、回路名称の設定が必須でなく、複数の分岐回路３の各々について回路名称が設定されていない状態で管理装置４が運用されることがある。回路名称が設定されていない状態では、管理装置４は、複数の分岐回路３の各々を例えば「回路１」、「回路２」…等の、ＩＤ（識別情報）によって識別する。そのため、一例として、管理装置４にて複数の分岐回路３の各々の消費電力を計測値として管理する場合、回路名称が設定されていれば「玄関照明の消費電力＊＊〔Ｗ〕」と表示されるところ、「回路１の消費電力＊＊〔Ｗ〕」と表示されることになる。したがって、ユーザにとっては、いずれの負荷、又はいずれの場所での消費電力であるかを特定することが困難であり、管理装置４としての機能が十分に発揮されないことになる。
【００１７】
さらに、管理装置４を用いたサービスとして、宅内の負荷の動作を遠方（宅外）のユーザに通知する、いわゆる見守りサービスがある。このようなサービスに管理装置４が用いられる場合には、遠方のユーザが複数の分岐回路３を特定する必要があるので、複数の分岐回路３の各々について回路名称の設定はとくに重要になる。また、管理装置４で管理される計測値を、多数の需要家施設から収集して、いわゆるビッグデータとして活用するサービスにおいても、複数の分岐回路３の各々について回路名称の設定は重要になる。
【００１８】
要するに、管理装置４において複数の分岐回路３の各々について回路名称が正しく設定されることは、管理装置４の機能を十分に発揮したり、管理装置４を用いた種々のサービスを展開したりする上で、大きな意義を持つ。そして、本実施形態の設定支援装置１を用いれば、管理装置４で用いられる回路名称の設定にかかる手間が軽減され、管理装置４で用いられる回路名称の誤設定や、設定忘れが生じにくくなる。これにより、管理装置４では単なるＩＤ（識別情報）でなく回路名称に対応付けて、複数の分岐回路３に関する計測値が管理されることになる。したがって、本実施形態の設定支援装置１は、管理装置４にとって非常に有用である。
【００１９】
（１．２）詳細説明
以下、本実施形態に係る設定支援装置１、及び設定支援システム１０について詳しく説明する。ただし、以下に説明する構成は、本発明の一例に過ぎず、本発明は、実施形態に限定されることはなく、この実施形態以外であっても、本発明に係る技術的思想を逸脱しない範囲であれば、設計等に応じて種々の変更が可能である。
【００２０】
本実施形態では、設定支援装置１は、需要家施設において複数の分岐回路３の消費電力と消費電力量との少なくとも一方を計測するための電力計測システムの管理装置４に適用され、複数の分岐回路３の各々の回路名称の設定に用いられる。ここでいう「需要家施設」は、電力の需要家の施設を意味しており、電力会社等の電気事業者から電力の供給を受ける施設だけでなく、太陽光発電設備等の自家発電設備から電力の供給を受ける施設も含む。本実施形態では、戸建住宅を需要家施設の一例として説明する。
【００２１】
（１．２．１）分電盤
ここではまず、複数の分岐回路３が接続される分電盤２の構成について、図１を参照して説明する。
【００２２】
分電盤２には、系統電源２０が電気的に接続される。分電盤２は、系統電源２０に電気的に接続される主幹ブレーカ２２と、主幹ブレーカ２２の二次側端子に電気的に接続される複数の分岐ブレーカ２１とをキャビネット内に備えている。複数の分岐ブレーカ２１には、複数の分岐回路３がそれぞれ電気的に接続される。これにより、分電盤２は、系統電源２０からの交流電力を複数の分岐回路３に分配する。なお、ここでいう「分岐回路」は、分岐ブレーカの二次側端子に接続される配線路、配線器具（アウトレット、壁スイッチなど）、及び各種の負荷（照明器具、エアーコンディショナなど）を含んでいる。
【００２３】
本実施形態では一例として、単相三線式の配電方式を想定する。この場合、系統電源２０と分電盤２との間は、第１電圧線（Ｌ１）、第２電圧線（Ｌ２）、及び中性線（Ｎ）からなる三線式の電力線によって電気的に接続される。第１電圧線又は第２電圧線と、中性線との間の電圧が１００〔Ｖ〕（実効値）であると仮定する。この場合、複数の分岐ブレーカ２１のうち第１電圧線と第２電圧線との一方及び中性線に接続された分岐ブレーカ２１には１００〔Ｖ〕が印加され、第１電圧線及び第２電圧線に接続された分岐ブレーカ２１には２００〔Ｖ〕が印加される。
【００２４】
分電盤２にはラベル６が付される。ここでいう「ラベル」は、例えば「玄関照明」、「寝室エアコン」、及び「階段照明」のように、回路名称が表記された、いわゆるネームカードである。本実施形態では、ラベル６は、複数の分岐回路３に一対一に対応する複数の回路名称が印刷された印刷物である。すなわち、ラベル作成装置７は、本実施形態ではプリンタ（印刷装置）であって、専用の用紙、又は汎用の印刷用紙に複数の回路名称を印刷することによって、ラベル６を作成する。
【００２５】
ラベル６は、分電盤２のキャビネット内での複数の分岐ブレーカ２１の配置に合わせて複数の回路名称が印刷され、複数の分岐ブレーカ２１に複数の回路名称を一対一で対応させた状態で、分電盤２に設けられたラベル取付スペースに取り付けられる。なお、ラベル６は、切取線にて複数の分岐回路３に対応する複数のラベル片に分割され、複数のラベル片が複数の分岐ブレーカ２１にそれぞれ取り付けられる構成であってもよい。また、ラベル６は、複数の分岐ブレーカ２１の各々へ貼付可能なシールであってもよい。
【００２６】
（１．２．２）電力計測システム
次に、設定支援装置１が適用される電力計測システムについて、図１を参照して説明する。
【００２７】
電力計測システムは、管理装置４と、複数の分岐回路３に関する計測値を計測する計測部８とを備えている。ここでいう「計測値」は、複数の分岐回路３の各々についての、消費電力と消費電力量との少なくとも一方である。
【００２８】
計測部８は、分電盤２のキャビネット内に収納されている。計測部８は、複数の分岐ブレーカ２１の各々を流れる電流を計測する電流センサの出力を用いて、複数の分岐回路３の各々について計測値を計測する。計測値は、瞬時電力を表す消費電力であってもよいし、又は消費電力を一定時間（例えば１分間）積算した消費電力量であってもよい。また、計測値は、消費電力と消費電力量との両方であってもよい。本実施形態では一例として、計測値は、消費電力（瞬時電力）であることとする。電流センサとしては、コアを用いない（コアレスの）空芯コイルからなり、貫通孔内を通過する電流に応じた出力を生じるロゴスキコイルが用いられる。また、電流センサは、例えばＣＴ（Current Transformer）センサ、ホール素子、ＧＭＲ（Giant Magnetic Resistances）素子等の磁気抵抗素子、シャント抵抗などであってもよい。
【００２９】
計測部８は、電力線（第１電圧線、第２電圧線、及び中性線）の線間電圧と、電流センサの出力とから、計測値を求める。計測部８は、分電盤２のキャビネット外に配置された管理装置４と通信を行う通信アダプタとしての機能を有している。計測部８は、計測値を含む計測データを、管理装置４に定期的に送信する。計測データにおいては、複数の分岐回路３についての計測値は「回路１」、「回路２」…等の、ＩＤ（識別情報）に一対一に対応付けられている。なお、計測部８は、複数の分岐回路３の各々についての計測値だけでなく、需要家施設の総消費電力量を計測値として求める構成であってもよい。
【００３０】
管理装置４は、記憶部４１を有している。記憶部４１への複数の回路名称の書き込みは、設定装置５によって行われる。本実施形態では、設定装置５は、管理装置４との通信機能を有している。設定装置５は、例えば分電盤２のキャビネット内に収納されている。管理装置４は、例えば需要家施設内であって分電盤２のキャビネット外に設けられている。
【００３１】
ここでは、複数の回路名称が記憶部４１に既に記憶されていることとして説明し、複数の回路名称の設定方法については「（１．２．４）名称設定方法」の欄にて説明する。記憶部４１においては、ＩＤごとに回路名称がテーブル形式で記憶されることにより、複数の回路名称が、複数の分岐回路３のＩＤと一対一に対応付けて記憶されている。例えば、「回路１」というＩＤには「玄関照明」という回路名称が対応付けて記憶され、「回路２」というＩＤには「寝室エアコン」という回路名称が対応付けて記憶される。
【００３２】
管理装置４は、計測部８から計測データを受信すると、計測データに含まれる複数の分岐回路３に関する計測値を、複数の回路名称に対応付けて管理する。具体的には、管理装置４は、記憶部４１を参照して、計測データに含まれる分岐回路３のＩＤを回路名称に置換して、回路名称と計測値とを対応付けた状態で管理する。ここで、管理装置４は、複数の分岐回路３に関する計測値を複数の回路名称に対応付けて回路毎データとして、記憶部４１又はその他の記憶装置に記憶することで、計測値を管理する。ただし、計測値を管理する手段は計測値を記憶することに限らず、管理装置４は、例えば計測値を他装置に出力してユーザへの通知を行う構成であってもよい。
【００３３】
本実施形態では、管理装置４は、ＨＥＭＳ（Home Energy Management System）コントローラであって、計測値をモニタへ表示したり、計測値に基づいて（ＨＥＭＳ対応）機器を制御したりすることができる。ここで、管理装置４は、例えばマイコン（マイクロコンピュータ）を主構成とし、マイコンのメモリに記録されたプログラムをＣＰＵ（Central Processing Unit）で実行することにより、種々の機能を実現する。プログラムは、予めマイコンのメモリに記録されていてもよいし、メモリカードのような記録媒体に記録されて提供されたり、電気通信回線を通して提供されたりしてもよい。
【００３４】
計測値をモニタへ表示するに当たり、管理装置４は、例えば「玄関照明の消費電力＊＊〔Ｗ〕」といったテキストデータをモニタへ出力することにより、モニタに「玄関照明の消費電力＊＊〔Ｗ〕」といったテキストを表示させる。ここで、管理装置４は、複数の分岐回路３のうちの一部の分岐回路３について計測値をモニタへ表示してもよいし、複数の分岐回路３の全てについて計測値をモニタへ表示してもよい。
【００３５】
このように、本実施形態の電力計測システムでは、複数の分岐回路３に関する計測値（消費電力）が、複数の回路名称に対応付けて管理されるので、管理装置４で管理される複数の分岐回路３をユーザが特定しやすくなる。例えば「玄関照明の消費電力＊＊〔Ｗ〕」と表示されることで、ユーザにとって、いずれの負荷、又はいずれの場所での消費電力であるかを特定しやすくなる。
【００３６】
（１．２．３）設定支援装置
次に、設定支援装置１について、図１を参照して説明する。
【００３７】
設定支援装置１は、取得部１１及び出力部１２に加えて、ユーザインタフェース１３、第１通信部１４、第２通信部１５、第３通信部１６、及び付加部１７を備えている。
【００３８】
ユーザインタフェース１３は、本実施形態ではタッチパネルディスプレイからなり、人の操作を受け付けたり、表示等の手段によって人へ情報を提示したりする。ユーザインタフェース１３は、取得部１１及び付加部１７の各々と電気的に接続されている。これにより、取得部１１及び付加部１７の各々は、ユーザインタフェース１３を用いて人が入力したデータを受け取ることができる。
【００３９】
第１通信部１４は、設定装置５との間で通信を行うように構成されている。第２通信部１５は、ラベル作成装置７との間で通信を行うように構成されている。第１通信部１４及び第２通信部１５の各々は、出力部１２と電気的に接続されている。これにより、出力部１２は、第１通信部１４を介して通信により設定装置５にデータを出力可能になる。また、出力部１２は、第２通信部１５を介して通信によりラベル作成装置７にデータを出力可能になる。なお、第１通信部１４及び第２通信部１５の各々の通信方式は、例えば免許を必要としない小電力無線である。この種の小電力無線については、用途などに応じて使用する周波数帯域や空中線電力などの仕様が各国で規定されている。例えば日本国においては、４２０ＭＨｚ帯や９２０ＭＨｚ帯の電波を使用する小電力無線（特定小電力無線）が規定されている。
【００４０】
第３通信部１６は、ルータとの間で通信を行うように構成されている。第３通信部１６は、取得部１１及び付加部１７の各々と電気的に接続されている。これにより、取得部１１及び付加部１７の各々は、第３通信部１６及びルータを介してインターネットに接続可能になる。
【００４１】
付加部１７は、付加情報を表す付加データを取得し、名称データに付加データを付加するように構成されている。ここでいう付加データは、複数の分岐回路３に関する情報であって、複数の回路名称以外の情報からなるデータである。取得部１１及び付加部１７の各々は、出力部１２と電気的に接続されている。これにより、付加データがある場合、付加部１７にて名称データに付加データが付加され、名称データと付加データとが組み合わされて出力部１２から出力されることになる。
【００４２】
付加データは、例えば分電盤２の品番、管理装置４のシリアル番号、複数の分岐回路３の各々の電圧区分、並びに複数の分岐ブレーカ２１の各々のサイズ及び極数などの情報を含む。ここでいう「電圧区分」は、複数の分岐回路３の各々について、印加電圧が１００〔Ｖ〕か２００〔Ｖ〕かを表す情報である。つまり、第１電圧線と第２電圧線との一方及び中性線に接続された分岐回路３の電圧区分は「１００〔Ｖ〕」であり、第１電圧線及び第２電圧線に接続された分岐回路３の電圧区分は「２００〔Ｖ〕」である。さらに、付加データは、複数の分岐ブレーカ２１の各々の定格電流、分電盤２の施工年月日、太陽光発設備等の追加設備の導入年月日、及びその他の備考情報などの情報を含んでいてもよい。ここでいう「備考情報」は、例えば感震機能付きのブレーカの有無、避雷器の有無、及び分電盤の設置地域（都道府県）、及び戸建住宅か集合住宅かの別などの情報を含んでいる。
【００４３】
本実施形態では、設定支援装置１は、分電盤２の施工業者によって管理されるパソコン（パーソナルコンピュータ）、タブレット端末、又はスマートフォンのような汎用の情報端末である。この設定支援装置１は、ＣＰＵ及びメモリを有するコンピュータを主構成としており、ＣＰＵがメモリに格納されているプログラムを実行することにより、コンピュータを設定支援装置１として機能させる。プログラムは、ここではインターネットなどの電気通信回線を通じて、又はメモリカードなどの記録媒体に記録されて提供されるが、コンピュータのメモリに予め記録されていてもよい。つまり、汎用の情報端末は、専用のアプリケーションソフトをインストールし、このアプリケーションソフトを起動することにより、設定支援装置１としての機能を実現する。
【００４４】
以上説明した構成によれば、設定支援装置１は、ユーザインタフェース１３を用いて人が入力した名称データを、取得部１１にて取得することができる。つまり、分電盤２の施工業者は、ユーザインタフェース１３を用いて、複数の回路名称を表すテキストデータ（名称データ）を入力することができ、取得部１１は、このようにして入力された名称データをユーザインタフェース１３から取得する。付加データについても同様であって、付加部１７は、分電盤２の施工業者によって入力された付加データをユーザインタフェース１３から取得する。
【００４５】
さらに、取得部１１は、第３通信部１６及びルータ経由で、インターネットを介して名称データを取得することも可能である。つまり、インターネットに接続されたサーバ装置等に複数の回路名称を表すテキストデータ（名称データ）が予め格納されていれば、取得部１１は、この名称データをダウンロードすることで名称データをサーバ装置等から取得することが可能である。付加データについても同様であって、付加部１７は、インターネット経由で付加データをサーバ装置等から取得可能である。なお、ここでいうサーバ装置等には、単体のサーバ装置だけでなく、クラウド（Cloud Computing）のような分散型のコンピュータも含む。
【００４６】
また、設定支援装置１において、出力部１２は、設定装置５に対し、第１通信部１４を介して通信により名称データを出力する。つまり、出力部１２は、取得部１１が取得した名称データを、第１通信部１４を介して設定装置５に出力する。設定装置５は、出力部１２から名称データを受け取ると、名称データを用いて、管理装置４の記憶部４１への複数の回路名称の書き込みを行う。これにより、管理装置４の記憶部４１には、複数の回路名称が設定されることになる。
【００４７】
さらには、出力部１２は、ラベル作成装置７に対し、第２通信部１５を介して通信により名称データを出力する。つまり、出力部１２は、取得部１１が取得した名称データを、第２通信部１５を介してラベル作成装置７に出力する。ラベル作成装置７は、出力部１２から名称データを受け取ると、名称データを用いて、専用の用紙、又は汎用の印刷用紙に複数の回路名称を印刷する。これにより、ラベル作成装置７にて、複数の回路名称が印刷されたラベル６が作成されることになる。なお、図１において、ラベル作成装置７、ラベル６、及び分電盤２間の矢印は、ラベル作成装置７で印刷されて分電盤２に取り付けられる、というラベル６の流れを概念的に表している（図４，５においても同様）。
【００４８】
設定支援装置１は、ユーザインタフェース１３が特定の操作（例えばタッチパネルディスプレイ上の「送信ボタン」を押す操作）を受け付けると、出力部１２から名称データを出力する。ここで、出力部１２が設定装置５に名称データを出力するタイミングと、出力部１２がラベル作成装置７に名称データを出力するタイミングとは、同一であってもよいし、同一でなくてもよい。つまり、出力部１２は、設定装置５及びラベル作成装置７に対して同時に名称データを出力してもよいし、設定装置５及びラベル作成装置７に対して別々に名称データを出力してもよい。設定装置５及びラベル作成装置７へ別々に名称データが出力される場合、設定装置５とラベル作成装置７とのどちらに先に名称データを出力するかは、例えばユーザインタフェース１３が受け付ける操作によって決定することが好ましい。具体的には、例えばタッチパネルディスプレイ上の「名称設定ボタン」を押す操作をユーザインタフェース１３が受け付けると、出力部１２は設定装置５に名称データを出力する。一方、タッチパネルディスプレイ上の「ラベル作成ボタン」を押す操作をユーザインタフェース１３が受け付けると、出力部１２はラベル作成装置７に名称データを出力する。
【００４９】
なお、出力部１２が出力する名称データは、取得部１１が取得した名称データと完全に一致しなくてもよく、データの内容（複数の回路名称）が取得部１１が取得した名称データと共通であればよい。出力部１２が出力する名称データは、例えば取得部１１が取得した名称データを所定のデータ形式に変換して得られたデータであってもよい。さらに、出力部１２から設定装置５に出力される名称データと、出力部１２からラベル作成装置７に出力される名称データとについても、完全に一致しなくてもよく、例えば互いにデータ形式が異なっていてもよい。
【００５０】
（１．２．４）名称設定方法
次に、上述した構成の設定支援装置１を用いて複数の回路名称を設定する方法について、図２を参照して説明する。ここでは、分電盤２の施工業者が設定支援装置１を用いて管理装置４で用いられる回路名称の設定を行うと仮定する。図２は、設定支援装置１のユーザインタフェース（タッチパネルディスプレイ）１３に表示される表示画面の一例を表している。
【００５１】
設定支援装置１は、回路名称の入力を支援する入力支援ツールとしての機能を有している。具体的には、設定支援装置１は、入力支援ツールとして動作することで、図２に示すような入力画面９を表示し、回路名称の入力を促す。このような入力支援ツールは、例えば表計算ソフトをプラットフォームに用いたアプリケーションソフトによって実現される。入力支援ツールは、ルータ経由でインターネット上のサーバ装置等に接続し、サーバ装置等の機能を利用するＡＰＩ（Application Programming Interface）の仕様であってもよい。
【００５２】
入力画面９は、回路番号欄９１と、名称入力欄９２と、品番入力欄９３と、シリアル番号入力欄９４とを含んでいる。回路番号欄９１には、複数の分岐回路３のＩＤ（識別情報）としての「回路番号」が表示される。名称入力欄９２には回路名称が入力される。回路番号欄９１と名称入力欄９２とは一対一に対応付けられており、名称入力欄９２には、回路番号欄９１に表示される回路番号毎に回路名称が入力される。品番入力欄９３には分電盤２の品番が入力される。シリアル番号入力欄９４には管理装置４のシリアル番号が入力される。なお、図２では、回路番号「１」（回路１）〜「１０」（回路１０）に対応して、「玄関照明」〜「２階廊下照明」の回路名称が入力された状態の入力画面９を示している。
【００５３】
分電盤２の施工業者は、入力画面９上で、ユーザインタフェース１３を用いて回路名称の入力を行う。ここにおいて、施工業者は、ユーザインタフェース１３を用いたテキスト入力により回路名称の入力を行ってもよいし、プルダウンリストなどで一覧表示される規定の回路名称の中から任意の回路名称を選択することにより回路名称の入力を行ってもよい。このように、基本的には、取得部１１はユーザインタフェース１３にて入力される名称データを取得する。
【００５４】
さらに、本実施形態では、品番入力欄９３に分電盤２の品番が入力されると、設定支援装置１が、この品番に基づいて、自動的に分電盤構成（分岐ブレーカ２１の数など）を特定するように構成されている。具体的には、設定支援装置１は、分電盤２の品番に対応する分電盤構成を示すデータを、インターネットを介してサーバ装置等から取得部１１にて取得する。ここで、分電盤構成を示すデータには、デフォルトとなる名称データが含まれていてもよい。この場合、分電盤２の施工業者は、デフォルトの名称データをベースに、修正が必要な分岐回路３についてのみ、回路名称を入力（修正）すればよい。
【００５５】
また、需要家施設が建売住宅などで、複数種類の典型的なモデルのいずれかと同じ間取りを採用している場合には、いずれのモデルに該当するかを選択するだけで、このモデルに対応する複数の回路名称をまとめて入力することも可能である。この場合、設定支援装置１は、例えばシリアル番号入力欄９４に入力された管理装置４のシリアル番号に基づいて、該当するモデルの名称データを、インターネットを介してサーバ装置等から取得部１１にて取得する。したがって、分電盤２の施工業者は、モデルの名称データをベースに、修正が必要な分岐回路３についてのみ、回路名称を入力（修正）すればよい。
【００５６】
なお、付加データ（付加情報）の入力については、入力画面９上で行われてもよいし、入力画面９とは別の画面上で行われてもよい。また、入力画面９には、分電盤２における複数の分岐ブレーカ２１の配置図が表示されてもよい。この場合、分電盤２の施工業者は、実際の分電盤２と照らし合わせながら回路名称を入力することができ、回路名称の入力ミスが低減する。
【００５７】
複数の回路名称の入力が完了すると、分電盤２の施工業者は、入力画面９上の送信ボタン９５を押すように操作（タップ）する。これにより、設定支援装置１は、出力部１２から名称データを出力する。
【００５８】
ここでは一例として、出力部１２は、まずラベル作成装置７に名称データを出力する。これにより、ラベル作成装置７にて、図３に例示するように、複数の印刷スペース６１の各々に回路名称が印刷されたラベル６が作成されることになる。なお、複数の印刷スペース６１は、複数の分岐回路３のＩＤ（回路番号）と一対一に対応して設けられている。ラベル６における複数の印刷スペース６１の配置は、分電盤２における複数の分岐ブレーカ２１の配置に合わせて設定されている。
【００５９】
その後、ユーザインタフェース１３が特定の操作（例えばタッチパネルディスプレイ上の「名称設定ボタン」を押す操作）を受け付けると、出力部１２は、設定装置５に名称データを出力する。これにより、設定装置５にて管理装置４の記憶部４１への複数の回路名称の書き込みが行われ、管理装置４において複数の回路名称が設定されることになる。
【００６０】
設定支援装置１は、ラベル作成装置７及び設定装置５に出力後の名称データについては、設定支援装置１のメモリに保存してもよいし、保存せずに破棄してもよい。
【００６１】
（１．２．５）設定支援システム
次に、設定支援システム１０について図１を参照して説明する。
【００６２】
設定支援システム１０は、管理装置４と、設定装置５と、取得部１１と、出力部１２とを備えている。本実施形態では、管理装置４と設定装置５と設定支援装置１とが、設定支援システム１０を構成する。
【００６３】
すなわち、管理装置４は、分電盤２に接続される複数の分岐回路３に関する計測値を、複数の分岐回路３に一対一に対応し記憶部４１に記憶された複数の回路名称に対応付けて管理する。設定装置５は、記憶部４１への複数の回路名称の書き込みを行う。取得部１１は、複数の回路名称を表す名称データを取得する。出力部１２は、設定装置５と、分電盤２に付されるラベル６の作成用のラベル作成装置７との両方に対して、名称データを出力するように構成されている。
【００６４】
ここで、設定装置５は、管理装置４の動作開始をトリガにして、出力部１２から名称データを取得し、記憶部４１への複数の回路名称の書き込みを行うように構成されている。ここでいう管理装置４の動作開始の時点は、管理装置４への通電が開始し、かつ管理装置４と設定装置５とが通信可能な状態になった時点である。管理装置４は、動作を開始すると設定要求信号を設定装置５に送信する。設定要求信号を受信した設定装置５は、設定支援装置１の出力部１２から名称データを取得し、管理装置４の記憶部４１に複数の回路名称の書き込みを行う。
【００６５】
また、本実施形態の設定支援システム１０は、付加部１７をさらに備えている。付加部１７は、複数の分岐回路３に関する情報であって複数の回路名称以外の情報からなる付加情報を表す付加データを取得し、名称データに付加データを付加する。さらに、管理装置４は、付加データに基づいて、計測値の計測に用いるパラメータの設定を行うように構成されている。すなわち、例えば分電盤２の品番、複数の分岐回路３の各々の電圧区分、並びに複数の分岐ブレーカ２１の各々のサイズ及び極数などの負荷情報を表す付加データに基づけば、管理装置４は、計測値の計測に必要なパラメータを自動的に設定可能となる。
【００６６】
（１．３）効果
以上説明した本実施形態の設定支援装置１及び設定支援システム１０によれば、出力部１２は、複数の回路名称を表す名称データを、記憶部４１への複数の回路名称の書き込みを行う設定装置５へ出力する。これにより、複数の分岐回路３の各々を特定するための情報（回路名称）の設定が支援されるので、管理装置４では単なるＩＤ（識別情報）でなく回路名称に対応付けて、複数の分岐回路３に関する計測値が管理されることになる。そのため、管理装置４で管理される複数の分岐回路３をユーザが特定しやすくなる。しかも、出力部１２は、設定装置５と、分電盤２に付されるラベル６の作成用のラベル作成装置７との両方に対して、名称データを出力する。これにより、出力部１２が出力する名称データは、複数の回路名称の記憶部４１への書き込みと、ラベル６の作成とに兼用されることになる。言い換えれば、分電盤２の施工に含まれるラベル６の作成時に用いられる名称データを、記憶部４１への複数の回路名称の書き込み用に流用できるので、管理装置４で用いられる回路名称の設定にかかる手間が軽減される。その結果、管理装置４で用いられる回路名称の誤設定や、設定忘れが生じにくくなり、管理装置４で管理される複数の分岐回路３をユーザが特定しやすくなる、という利点がある。
【００６７】
また、本実施形態のように、設定支援装置１は、設定装置５との間で通信を行う通信部（第１通信部１４）をさらに備え、出力部１２は、設定装置５に対し、通信部（第１通信部１４）を介して通信により名称データを出力するように構成されていることが好ましい。この構成によれば、設定支援装置１から設定装置５に対しては、名称データは通信により出力（送信）されることになるので、設定支援装置１と設定装置５との間の物理的な距離によらずに名称データのやり取りが可能になる。ただし、この構成は設定支援装置１に必須の構成ではなく、第１通信部１４は省略されてもよい。
【００６８】
また、本実施形態のように、取得部１１は、インターネットを介して名称データを取得するように構成されていることが好ましい。この構成によれば、設定支援装置１は、例えば分電盤２の品番、又は管理装置４のシリアル番号などに基づいて、インターネット上のサーバ装置等に格納されている名称データを取得することができる。したがって、回路名称の入力の手間が一層軽減される、という利点がある。ただし、この構成は設定支援装置１に必須の構成ではなく、取得部１１がインターネットを介して名称データを取得する機能は省略されてもよい。
【００６９】
また、本実施形態のように、設定支援装置１は、付加データを取得し、名称データに付加データを付加する付加部１７をさらに備えることが好ましい。付加データは、複数の分岐回路３に関する情報であって複数の回路名称以外の情報からなる付加情報を表すデータである。この構成によれば、設定支援装置１において、例えば分電盤２の品番、管理装置４のシリアル番号、及び複数の分岐回路３の各々の電圧区分など、複数の回路名称以外の情報（付加情報）を表すデータを名称データに付加できる。したがって、これらの付加情報を複数の回路名称とは別に設定する場合に比べて、設定作業の手間が軽減される。ただし、この構成は設定支援装置１に必須の構成ではなく、付加部１７は省略されてもよい。
【００７０】
また、本実施形態の設定支援システム１０のように、設定装置５は、管理装置４の動作開始をトリガにして、出力部１２から名称データを取得し、記憶部４１への複数の回路名称の書き込みを行うように構成されていることが好ましい。この構成によれば、分電盤２の施工後に管理装置４が施工されて管理装置４が動作を開始した際、自動的に、管理装置４に複数の回路名称が設定されることになる。その結果、管理装置４の動作開始後すぐに、管理装置４が活用可能な状態となる。ただし、この構成は設定支援システム１０に必須の構成ではなく、管理装置４の動作開始をトリガにして設定装置５が複数の回路名称の書き込みを行う機能は省略されてもよい。
【００７１】
また、本実施形態の設定支援システム１０のように、設定支援システム１０は付加部１７をさらに備えていることが好ましい。付加部１７は、複数の分岐回路３に関する情報であって複数の回路名称以外の情報からなる付加情報を表す付加データを取得し、名称データに付加データを付加する。この場合、管理装置４は、付加データに基づいて、計測値の計測に用いるパラメータの設定を行うように構成されていることが好ましい。この構成によれば、管理装置４での計測値の計測に用いられるパラメータが、自動的に設定されるため、パラメータの設定を管理装置４の施工後に現場（需要家施設）で行う必要がない。したがって、パラメータの誤設定や、設定忘れが生じにくくなり、管理装置４の信頼性が向上する。ただし、この構成は設定支援システム１０に必須の構成ではなく、付加部１７は省略されてもよい。
【００７２】
（１．４）プログラム
設定支援装置１がコンピュータ（マイコンを含む）を主構成とする場合、コンピュータのメモリに記録されるプログラムは、管理装置４に対する複数の回路名称の設定を支援するコンピュータを取得部１１及び出力部１２として機能させるためのプログラムである。ここでいう管理装置４は、分電盤２に接続される複数の分岐回路３に関する計測値を、複数の分岐回路３に一対一に対応し記憶部４１に記憶された複数の回路名称に対応付けて管理する。また、ここでいう取得部１１は、複数の回路名称を表す名称データを取得する。出力部１２は、記憶部４１への複数の回路名称の書き込みを行う設定装置５と、分電盤２に付されるラベル６の作成用のラベル作成装置７との両方に対して、名称データを出力する。
【００７３】
このプログラムによれば、専用の設定支援装置１を用いなくても、本実施形態の設定支援装置１と同等の機能を実現でき、管理装置４で管理される複数の分岐回路３をユーザが特定しやすくなる、という利点がある。
【００７４】
（１．５）変形例
以下、実施形態１の変形例を列挙する。
【００７５】
本実施形態では、戸建住宅を需要家施設の一例として説明しているが、この例に限らず、需要家施設は、集合住宅の各住戸などの戸建住宅以外の住宅、あるいは事務所、店舗等の非住宅であってもよい。需要家施設が集合住宅の各住戸であって、集合住宅の１階の住戸と、２階、３階の住戸とで間取りが同じである場合には、１階の住戸の名称データを、２階、３階の住戸に使い回すことができる。この場合、分電盤２の施工業者は、例えば１階の住戸についてのみ複数の回路名称を入力すればよく、回路名称の設定の手間が一層軽減される。なお、住戸間の関係（間取りが同じか否か）は、例えば管理装置４のシリアル番号によって識別可能である。
【００７６】
また、分岐回路３に関する計測値は、消費電力や消費電力量に限らず、例えば電流値や漏電の有無、負荷の動作状態など、分岐回路３に関する何らかの計測値であればよい。
【００７７】
また、第１通信部１４及び第２通信部１５の各々の通信方式は、特定小電力無線に限らず、その他の無線通信であってもよい。さらに、第１通信部１４及び第２通信部１５の各々の通信方式は、例えばＬＡＮ（Local Area Network）ケーブルなどを用いた有線通信であってもよい。
【００７８】
また、計測部８と管理装置４との間の通信方式についても、第１通信部１４及び第２通信部１５の各々と同様に、例えば特定小電力無線であってもよいし、その他の通信方式（無線通信及び有線通信を含む）でもよい。管理装置４と設定装置５との間の通信方式についても、第１通信部１４及び第２通信部１５の各々と同様に、例えば特定小電力無線であってもよいし、その他の通信方式（無線通信及び有線通信を含む）でもよい。
【００７９】
また、管理装置４は、需要家施設外に設けられていてもよく、例えばサーバ装置又はクラウド（Cloud Computing）にて実現されていてもよい。この場合、管理装置４は、例えば複数の分岐回路３の計測値（消費電力など）の総和から、複数の分岐回路３の各々の計測値を分離する、ディスアグリゲーション（Disaggregation）型のサービスに適用することが可能である。ディスアグリゲーション型のサービスにおいては、管理装置４は、例えば主幹ブレーカ２２を流れる電流値に関する計測データを、需要家施設の計測部８又はスマートメータなどから受信することで、複数の分岐回路３の計測値の総和を取得する。管理装置４がディスアグリゲーション型のサービスに適用される場合においては、設定支援装置１は、需要家施設外の管理装置４に対する、複数の回路名称の設定を支援することになる。そして、管理装置４において、複数の分岐回路３の各々について回路名称の設定が行われることにより、複数の分岐回路３の計測値の総和からの管理装置４での計測値の分離精度の向上が期待できる。
【００８０】
また、設定装置５は、設定支援装置１又はその他の情報端末との通信により、記憶部４１に書き込まれた複数の回路名称の各々を修正する機能を有していることが好ましい。これにより、一度設定された回路名称を変更したり、需要家施設のユーザ（住人）が回路名称をカスタマイズしたりすることが可能になる。例えば、需要家施設のユーザにて、家族の名前を含めた回路名称（「＊＊ちゃんの部屋」など）を設定することが可能となる。
【００８１】
また、設定装置５及び計測部８の各々は分電盤２のキャビネット外に設けられていてもよい。設定支援装置１及び管理装置４の各々は分電盤２のキャビネット内に設けられていてもよい。さらに、設定装置５は、設定支援装置１と一体であってもよいし、管理装置４と一体であってもよい。
【００８２】
また、設定支援装置１は、汎用の情報端末に限らず専用のデバイスであってもよい。
【００８３】
（実施形態２）
本実施形態の設定支援装置１Ａは、図４に示すように、インターネット１００を介して、記憶装置１０１に名称データをアップロードするアップロード部１８をさらに備える点で、実施形態１の設定支援装置１と相違する。設定支援装置１Ａは、管理装置４Ａと共に設定支援システム１０Ａを構成する。以下、実施形態１と同様の構成については、共通の符号を付して適宜説明を省略する。
【００８４】
本実施形態では、設定支援装置１Ａは、第１通信部１４（図１参照）に代えてアップロード部１８を備えている。アップロード部１８は、ルータとの間で通信を行うように構成されている。アップロード部１８は、出力部１２と電気的に接続されている。これにより、出力部１２は、アップロード部１８及びルータを介してインターネット１００に接続可能になり、インターネット１００上の記憶装置１０１に名称データを出力（アップロード）可能になる。付加データがある場合には、付加部１７にて名称データに付加データが付加され、名称データと付加データとが組み合わされて出力部１２から出力（アップロード）される。なお、アップロード部１８におけるインターネット１００への接続機能は、第３通信部１６と兼用されていてもよい。
【００８５】
本実施形態では、記憶装置１０１は、インターネット１００に接続されたサーバ装置、又はクラウドである。記憶装置１０１は、設定支援装置１Ａからインターネット１００経由で名称データ（及び付加データ）を受信すると、名称データ（及び付加データ）を格納する。
【００８６】
ここで、設定装置５Ａは、管理装置４Ａに設けられている。管理装置４Ａは、インターネット１００に接続可能に構成されている。本実施形態では、管理装置４Ａは、動作開始時に、インターネット１００上の記憶装置１０１に自動的にアクセスし、記憶装置１０１から名称データ（及び付加データ）を取得するように構成されている。このとき、管理装置４Ａは、管理装置４Ａのシリアル番号を記憶装置１０１に送信することで、シリアル番号に対応する名称データ（及び付加データ）を取得する。言い換えれば、出力部１２は、インターネット１００経由で、設定装置５Ａ（管理装置４Ａ）に名称データ（及び付加データ）を出力することになる。
【００８７】
以上説明したように、本実施形態の設定支援装置１Ａは、インターネット１００を介して、記憶装置１０１に名称データをアップロードするアップロード部１８をさらに備えている。この設定支援装置１Ａによれば、インターネット１００経由で設定装置５Ａへの名称データ（及び付加データ）の出力が可能になる。しかも、名称データは記憶装置１０１に格納されるので、記憶装置１０１に名称データのバックアップが作成されることになり、名称データ（及び付加データ）の紛失が生じにくい。また、インターネット１００上の記憶装置１０１に名称データが格納されることで、ある需要家施設で用いた名称データを他の需要家施設へ流用することも容易になる。さらに、記憶装置１０１に名称データ（及び付加データ）が格納されることで、管理装置４Ａを用いたサービスを提供する事業者において、顧客の管理や、施工ミスの発見などにこれらのデータを活用することが可能である。例えば、付加データに、分電盤２の施工年月日、及び太陽光発設備等の追加設備の導入年月日の情報が含まれていれば、分電盤２及び追加設備の点検時期又は交換時期を事業者にて管理することができる。
【００８８】
また、本実施形態のように、インターネット上の記憶装置１０１に名称データがアップロードされることで、管理装置４Ａを用いたサービスを提供する事業者において、分電盤２の施工業者が回路名称の入力を行ったか否かを確認することができる。そこで、管理装置４Ａを用いたサービスを提供する事業者は、回路名称の入力を行った施工業者に対し、ポイントなどの特典を付与することも可能である。
【００８９】
なお、出力部１２は、設定装置５Ａだけでなく、ラベル作成装置７に対しても、インターネット１００経由で、名称データを出力する構成であってもよい。
【００９０】
その他の構成及び機能は実施形態１と同様である。
【００９１】
（実施形態３）
本実施形態の設定支援装置１Ｂは、図５に示すように、記録媒体１０２へのデータの書き込みを行う書込部１９をさらに備える点で、実施形態１の設定支援装置１と相違する。さらに、本実施形態では、出力部１２は、設定装置５Ｂに対し、書込部１９により記録媒体１０２を介して名称データを出力するように構成されている。設定支援装置１Ｂは、設定装置５Ｂ及び管理装置４Ｂと共に設定支援システム１０Ｂを構成する。以下、実施形態１と同様の構成については、共通の符号を付して適宜説明を省略する。
【００９２】
本実施形態では、設定支援装置１Ｂは、第１通信部１４（図１参照）に代えて書込部１９を備えている。記録媒体１０２は、例えばメモリカード、ＵＳＢメモリ、及びＣＤ−ＲＯＭなどである。書込部１９は、出力部１２と電気的に接続されている。これにより、書込部１９は、出力部１２から出力される名称データを記録媒体１０２に書込可能になる。付加データがある場合には、付加部１７にて名称データに付加データが付加され、名称データと付加データとが組み合わされて記録媒体１０２に書き込まれる。
【００９３】
ここで、設定装置５Ｂは、記録媒体１０２から名称データ（及び付加データ）を読み込む機能を有している。本実施形態では、設定装置５Ｂは、記録媒体１０２の接続時（挿入時）に、自動的に記録媒体１０２から名称データ（及び付加データ）を読み込むように構成されている。言い換えれば、出力部１２は、記録媒体１０２を介して、設定装置５Ｂに名称データ（及び付加データ）を出力することになる。なお、図５において、記録媒体１０２及び設定装置５Ｂ間の矢印は、書込部１９から取り出されて設定装置５Ｂに接続（挿入）される、という記録媒体１０２の流れを概念的に表している。
【００９４】
以上説明したように、本実施形態の設定支援装置１Ｂは、記録媒体１０２へのデータの書き込みを行う書込部１９をさらに備え、出力部１２が、設定装置５Ｂに対し、書込部１９により記録媒体１０２を介して名称データを出力するように構成されている。この設定支援装置１Ｂによれば、記録媒体１０２を媒体として設定装置５Ｂへの名称データ（及び付加データ）の出力が可能になる。そのため、分電盤２の施工から管理装置４Ｂの施工までに時間が空く場合でも、記録媒体１０２にて名称データ（及び付加データ）を保持し続けることができる。また、記録媒体１０２に名称データが格納されることで、ある需要家施設で用いた名称データを他の需要家施設へ流用することも容易になる。
【００９５】
なお、出力部１２は、設定装置５Ｂだけでなく、ラベル作成装置７に対しても、記録媒体１０２経由で、名称データを出力する構成であってもよい。また、設定支援装置１Ｂは、第１通信部１４と書込部１９との両方を備えていてもよい。
【００９６】
その他の構成及び機能は実施形態１と同様である。
【００９７】
なお、上記実施形態１〜３（変形例を含む）の構成は、互いに組み合わせても適用可能である。また、実施形態１で説明したプログラムおよび設定支援システム１０についても、実施形態２及び３で説明した技術と組み合わせて適用可能である。
【符号の説明】
【００９８】
１，１Ａ，１Ｂ  設定支援装置
２  分電盤
３  分岐回路
４，４Ａ，４Ｂ  管理装置
５，５Ａ，５Ｂ  設定装置
６  ラベル
７  ラベル作成装置
１０，１０Ａ，１０Ｂ  設定支援システム
１１  取得部
１２  出力部
１７  付加部
１４  第１通信部（通信部）
１８  アップロード部
１９  書込部
４１  記憶部
１００  インターネット
１０１  記憶装置
１０２  記録媒体
【図１】
0006604569.tif 000002
【図２】
0006604569.tif 000003
【図３】
0006604569.tif 000004
【図４】
0006604569.tif 000005
【図５】
0006604569.tif 000006